(57)【要約】【課題】送電線への作業員の接近をより確実に遮断する。【解決手段】一対の接近遮断棒１１ａ，１１ｂと、接近遮断棒１１ａ，１１ｂを回転自在に支持し、接近を遮断するときには、接近遮断棒１１ａ，１１ｂを、軸方向が一致して接近遮断棒１１ａ，１１ｂの端部が対向する第１の位置でそれぞれ保持し、接近を遮断しないときは、接近遮断棒１１ａ，１１ｂを端部が対向することなく所望の間隔を有する第２の位置でそれぞれ保持する支持部２０と、接近遮断棒１１ａに設けられて、接近遮断棒１１ａ，１１ｂが第１の位置で保持されているときに、接近遮断棒１１ａ，１１ｂを連結する連結部３０を有する。【選択図】        図３
2006333558.tif 000002
【特許請求の範囲】
【請求項１】
一対の接近遮断棒と、
前記一対の接近遮断棒を回転自在に支持し、接近を遮断するときには、前記一対の接近遮断棒を、軸方向が一致して前記一対の接近遮断棒の端部が対向する第１の位置でそれぞれ保持し、接近を遮断しないときは、前記一対の接近遮断棒を、前記一対の接近遮断棒の端部が対向することなく所望の間隔を有する第２の位置でそれぞれ保持する支持部と、
前記一対の接近遮断棒の一方の接近遮断棒に設けられて、該一対の接近遮断棒が前記第１の位置で保持されているときに、該一対の接近遮断棒を連結する連結部を有する
ことを特徴とする接近遮断装置。
【請求項２】
前記支持部は、前記接近遮断棒を保持する保持部と位置決めベース部とを有し、
前記保持部あるいは前記位置決めベース部の一方に凸部、他方に凹部を形成し、前記凸部と前記凹部を嵌合させることで、前記接近遮断棒を第１の位置あるいは前記第２の位置に位置決めする
ことを特徴とする請求項１の接近遮断装置。
【請求項３】
前記保持部を、前記位置決めベース部の方向に付勢する弾性部材を有する
ことを特徴とする請求項２の接近遮断装置。
【請求項４】
前記連結部が設けられる接近遮断棒には固定されたピンを設け、
前記連結部には、Ｌ字型のスライド穴を、一片が前記接近遮断棒の軸方向で、他片が周方向かつ前記接近遮断棒の支持側となるように形成し、
前記スライド穴の内部に前記ピンが位置するように、前記連結部を前記接近遮断棒に取り付けるものとし、
前記連結部の軸方向の穴を前記ピンの位置として、該連結部を他方の接近遮断棒側に摺動させて前記一対の接近遮断棒を連結し、その後前記連結部の周方向の穴を前記ピンの位置として、該連結部を周方向に回転させることで連結状態を保持できるようにした
ことを特徴とする請求項１乃至請求項３の接近遮断装置。
【発明の詳細な説明】
【技術分野】
【０００１】
本発明は、鉄塔上の作業員が、送電線に接近するのを防止するための接近遮断装置に関する。
【背景技術】
【０００２】
送電鉄塔に架設されている送電線で、日常の維持点検や停電等何らかの異常が発生した際には、作業員が送電線に接近して、点検補修作業等を行う必要がある。ただし、送電が行われている状態では、送電線に非常に高い電圧がかかっているため、送電鉄塔上で作業する作業員が不用意に送電線に接近しすぎると感電する可能性がある。このため、従来より送電鉄塔への接近を防止するため、例えば特許文献１に示す高圧送電鉄塔用接近遮断装置が用いられている。
【０００３】
特許文献１に示されている高圧送電鉄塔用接近遮断装置を使用する場合、支持部１４を鉄塔１のアングルに固定する。接近遮断棒１５は手で持ち上げることにより、回転可能となる。接近遮断棒１５をほぼ９０度回し、手を離すと、接近遮断棒１５はスプリング１９の弾性力により付勢されていることから、位置決め部１６ａによって位置決めされた位置で保持される。ここで、作業員が送電線３に接近する必要があるときには、接近遮断棒１５を鉄塔１のアングルに対して平行な向きに回転する。作業員の接近を遮断する必要があるときには、接近遮断棒１５をアングルと直交する方向に回転させる。
【０００４】
【特許文献１】特開平９−２１９９１６号公報
【発明の開示】
【発明が解決しようとする課題】
【０００５】
このような高圧送電鉄塔用接近遮断装置では、１つの支持部によって鉄塔のアングル等に固定される。例えば、モノポール鉄塔の支持アームの両側に設けられている鉄パイプ等の手摺に高圧送電鉄塔用接近遮断装置を取り付けるときには、支持部が手摺の片側に固定される。
【０００６】
ここで、支持部を固定している金具のボルトが経年変化および温度変化により緩んだときに、支持部が１つであるため、高圧送電鉄塔用接近遮断装置の位置ずれが生じやすくなってしまう。
【０００７】
そこで、本発明では、送電線への作業員の接近をより確実に遮断できる接近遮断装置を提供する。
【課題を解決するための手段】
【０００８】
上記目的を達成するために、本発明の接近遮断装置は、一対の接近遮断棒と、この一対の接近遮断棒を回転自在に支持し、接近を遮断するときには、一対の接近遮断棒を、軸方向が一致して一対の接近遮断棒の端部が対向する第１の位置でそれぞれ保持し、接近を遮断しないときは、一対の接近遮断棒を、この一対の接近遮断棒の端部が対向することなく所望の間隔を有する第２の位置でそれぞれ保持する支持部と、一対の接近遮断棒の一方の接近遮断棒に設けられて、この一対の接近遮断棒が第１の位置で保持されているときに、この一対の接近遮断棒を連結する連結部を有することを特徴とする。
【発明の効果】
【０００９】
遮断時には一対の接近遮断棒が連結部により連結した状態となるので、片方の取付金具がゆるんだとしても、位置ずれが生じにくく、送電線への作業員の接近をより確実に遮断できる。
【発明を実施するための最良の形態】
【００１０】
以下、本発明の実施の形態について図を用いて説明する。図１はモノポール鉄塔を示しており、図１Ａは正面図、図１Ｂは平面図である。モノポール鉄塔１の上部には支持アーム１ａが複数形成されており、支持アーム１ａの下部には碍子２を介して送電線３が設けられている。また、支持アーム１ａの両側面には手摺４が設けられている。手摺４の上部は例えばパイプ状の形状であり、モノポール鉄塔１から送電線３に向う方向に下り傾斜している。
【００１１】
図２はモノポール鉄塔の手摺に設けた接近遮断装置を示す図であり、図２Ａは接近遮断装置を側面から見た図、図２Ｂは接近遮断装置を上から見た図、図２Ｃは接近遮断装置を正面から見た図である。接近遮断装置１０は、両側の手摺４の上部側に取り付けられ、作業者がモノポール鉄塔１から送電線３に接近するのを防止する。
【００１２】
図３は、接近遮断装置の構成を示す図であり、図３Ａは正面図、図３Ｂは左側面図である。接近遮断装置１０は、一対の接近遮断棒１１ａ，１１ｂと、接近遮断棒１１ａ，１１ｂを回転自在に支持し、接近を遮断するときには、接近遮断棒１１ａ，１１ｂを、軸方向が一致して接近遮断棒１１ａ，１１ｂの端部が対向する第１の位置でそれぞれ保持し、接近を遮断しないときは、接近遮断棒１１ａ，１１ｂを、接近遮断棒１１ａ，１１ｂの端部が対向することなく所望の間隔を有する第２の位置でそれぞれ保持する支持部２０と、接近遮断棒１１ａ，１１ｂの一方の接近遮断棒１１ａに設けられて、一対の接近遮断棒１１ａ，１１ｂが第１の位置で保持されているときに、接近遮断棒１１ａ，１１ｂを連結する連結部３０を有する。
【００１３】
支持部２０は、Ｌ字金具２１、半円金具２２、ボルト２３、ナット２４、位置決めベース部２５、保持部２６、スプリング２７、ボルト２８およびナット２９を用いて構成される。Ｌ字金具２１と半円金具２２は手摺４を挟持することで、接近遮断装置１０を手摺４に固定するものである。Ｌ字金具垂直部２１ａの下部と半円金具２２の両端部側には貫通穴が形成されており、これらの貫通穴にボルト２３を挿通して、ボルト２３とナット２４によってＬ字金具２１を手摺４に締結する。
【００１４】
位置決めベース部２５は、例えば平板２５ａと後述する位置決めピン２５ｂで構成されており、平板２５ａの中央には貫通穴が形成されている。また、Ｌ字金具平坦部２１ｂにも、略同じ大きさの貫通穴が形成されている。平板２５ａは、貫通穴の位置が一致するようにＬ字金具平坦部２１ｂを固着する。
【００１５】
接近遮断棒１１ａ（１１ｂ）は、保持部２６によって保持した状態で、平板２５ａの上に設ける。保持部２６は、コの字金具２６ａと押さえ金具２６ｂとで構成されている。
【００１６】
コの字金具２６ａと接近遮断棒１１ａ（１１ｂ）には、Ｌ字金具平坦部２１ｂや平板２５ａに形成した貫通穴と略同じ大きさの貫通穴が形成されている。コの字金具２６ａの開口部には、貫通穴の位置が一致するように接近遮断棒１１ａ，１１ｂが設けられる。
【００１７】
押さえ金具２６ｂの上面の中央には、Ｌ字金具平坦部２１ｂや平板２５ａに形成した貫通穴と略同じ大きさの貫通穴が形成されている。この押さえ金具２６ｂは、貫通穴の位置が一致するように接近遮断棒１１ａ（１１ｂ）の上面にかぶせるように設けられる。また、コの字金具２６ａと押さえ金具２６ｂは、コの字金具２６ａの開口部に接近遮断棒１１ａ（１１ｂ）を設けて、この接近遮断棒１１ａ（１１ｂ）の上面に押さえ金具２６ｂをかぶせるように設けたとき、コの字金具２６ａと押さえ金具２６ｂが一体となるように構成されている。
【００１８】
押さえ金具２６ｂの上面には弾性部材としてスプリング２７を設け、このスプリング２７と押さえ金具２６ｂ，接近遮断棒１１ａ（１１ｂ），コの字金具２６ａ，平板２５ａ、Ｌ字金具平坦部２１ｂの各貫通穴を貫くように、スプリング２７の上面側からボルト２８を挿通する。また、Ｌ字金具平坦部２１ｂの下面側から突出したボルト２８にナット２９を取り付けて、接近遮断棒１１ａ（１１ｂ）を支持部２０によって支持する。
【００１９】
平板２５ａと保持部２６には、一方に凸部、他方に凹部を形成し、この凸部と凹部を嵌合させることによって、接近遮断棒１１ａ（１１ｂ）を第１の位置（作業者の送電線への接近を遮断にする）あるいは第２の位置（作業者の送電線への接近を可能にする）に位置決めする。例えば、保持部２６には凹部としてピン穴を形成する。凸部として形成される位置決めピン２５ｂは、接近遮断棒１１ａ（１１ｂ）を第１の位置としたとき、保持部２６に設けたピン穴と対向する平板２５ａの位置、および接近遮断棒１１ａ（１１ｂ）を第２の位置としたとき、保持部２６に設けたピン穴と対向する平板２５ａの位置にそれぞれ形成する。このため、位置決めピン２５ｂとピン穴を嵌合させることで、接近遮断棒１１ａ（１１ｂ）を第１の位置あるいは第２の位置で保持できる。
【００２０】
図４は連結部を示す図である。連結部３０には例えばスライド金具３１を用いる。スライド金具３１は、接近遮断棒１１の断面形状に合わせて断面が円形のパイプ状とされており、その径は、接近遮断棒１１の径よりも大きいものとする。また、後述するように、スライド金具３１の長さは、スライド金具３１を接近遮断棒１１ｂ側に摺動させたときに、接近遮断棒１１ａと接近遮断棒１１ｂとが連結できる長さとする。
【００２１】
スライド金具３１には、Ｌ字型のスライド穴３２が形成されている。スライド穴３２はＬ字型の一片が接近遮断棒１１の軸方向、他片が接近遮断棒１１ａの周方向かつ支持側に形成されている。接近遮断棒１１ａの外周面上にピン１２を固定し、スライド穴３２の内部にピン１２が位置するように、スライド金具３１を接近遮断棒１１ａに取り付ける。
【００２２】
図４Ａでは、接近遮断棒１１ａと接近遮断棒１１ｂとが、連結部３０によって連結された状態を示している。スライド金具３１を矢印Ａの方向に回転してから、矢印Ｂの方向に摺動させると、図４Ｂのように接近遮断棒１１ａと接近遮断棒１１ｂの連結が解除される。この動作を行う際には特別な工具等は必要なく、人の手で操作を行うことができる。
【００２３】
また、図４Ｂの状態から、図４Ａで示すように接近遮断棒１１ａと接近遮断棒１１ｂを連結した状態にするには、スライド金具３１を矢印Ｃの方向に摺動してから、矢印Ｄの方向に回転させれば、連結状態を保持させることができる。
【００２４】
図５は接近遮断装置の回転動作を示す図である。図５Ａ、図５Ｃおよび図５Ｅは正面図、図５Ｂ、図５Ｄおよび図５Ｆは平面図である。これらの図は、接近遮断棒１１ａと接近遮断棒１１ｂの連結が解除された状態での動作である。
【００２５】
接近遮断棒１１を回転させる場合には、図５Ａの状態にある接近遮断棒１１を持ち上げ、図５Ｃの状態とする。このとき、保持部２６も接近遮断棒１１と同時に持ち上がる。また、スプリング２７は縮んだ状態となる。接近遮断棒１１、保持部２６が、位置決めピン２５ｂの上端よりも高く持ち上がることにより、接近遮断棒１１の回転が可能になる。接近遮断棒１１を９０度回転させて、位置決めピン２５ｂ、コの字金具２６ａのピン穴との位置が一致した状態とする。この状態で手を離すと、接近遮断棒１１はスプリング２７の弾性力により平板２５ａの方向に付勢され、位置決めピン２５ｂとコの字金具２６ａのピン穴が嵌合することによって、図５Ｅのように接近遮断棒１１は図５Ａ，図５Ｂの示す位置とは異なる位置で保持される。
【００２６】
図６は、接近遮断装置の使用状態を示す図であり、図６Ａは接近遮断装置を側面から見た図、図６Ｂは接近遮断装置を上から見た図、図６Ｃは接近遮断装置を正面から見た図である。作業者が送電線３に接近するのを遮断する場合には、図６Ａの左側の接近遮断装置１０のように、接近遮断棒１１ａと接近遮断棒１１ｂとが連結部３０によって連結されるようにする。この構成では、接近遮断装置の支持部２０を両側の手摺４に固定するため、手摺４の上部がパイプ状の形状であり、モノポール鉄塔１から送電線３に向う方向に下り傾斜している場合において、支持部２０を固定する片方のボルト２３が緩んだとしても、接近遮断装置１０の位置がずれにくい。従って、作業者の接近をより確実に遮断できる。また、停電時の補修工事など、送電線３へ接近する必要が生じた場合には、図４のようにスライド金具３１を接近遮断棒１１ａ側に摺動させ、図５のように接近遮断棒１１ａと接近遮断棒１１ｂを回転させると、図６Ａの右側の接近遮断装置１０のように、送電線３への接近が可能となる。
【産業上の利用可能性】
【００２７】
以上のように、本発明にかかる接近遮断装置は、鉄塔での作業者が送電線へ接近するのを防止するために用いるのに有用である。
【図面の簡単な説明】
【００２８】
【図１】モノポール鉄塔を示した図である。
【図２】モノポール鉄塔の手摺に設けた接近遮断装置を示す図である。
【図３】接近遮断装置の構成を示す図である。
【図４】連結部を示す図である。
【図５】接近遮断装置の回転動作を示す図である。
【図６】接近遮断装置の使用状態を示す図である。
【符号の説明】
【００２９】
１・・・鉄塔、１ａ・・・支持アーム、２・・・碍子、３・・・送電線、４・・・手摺、１０・・・接近遮断装置、１１・・・接近遮断棒、１２・・・ピン、２０・・・支持部、２１・・・Ｌ字金具、２２・・・半円金具、２３・・・ボルト、２４・・・ナット、２５・・・位置決めベース部、２５ａ・・・平板、２５ｂ・・・位置決めピン、２６・・・保持部、２６ａ・・・コの字金具、２６ｂ・・・押さえ金具、２７・・・スプリング、２８・・・ボルト、２９・・・ナット、３０・・・連結部、３１・・・スライド金具、３２・・・スライド穴
【図１】
2006333558.tif 000003
【図２】
2006333558.tif 000004
【図３】
2006333558.tif 000005
【図４】
2006333558.tif 000006
【図５】
2006333558.tif 000007
【図６】
2006333558.tif 000008